(57)【要約】本願は、エネルギー回収の分野に関し、特に、同目的での形状記憶合金（ＳＭＡ）または負熱膨張（ＮＴＥ）材料の使用に関する。本発明は、駆動機構と、ホルダ要素によって第１の端部で固定され、第２の端部で駆動機構に接続される、複数の伸長形状記憶合金（ＳＭＡ）要素または負熱膨張（ＮＴＥ）要素を備える、エンジンとを備え、形状記憶合金（ＳＭＡ）要素または負熱膨張（ＮＴＥ）要素は、隣接する要素の間に間隙を形成するように位置付けられ、流体から各要素への熱伝達を向上させるように構成される、エネルギー回収デバイスを提供する。
2017538068.tif 000002
【特許請求の範囲】
【請求項１】
ホルダ要素によって第１の端部で固定され、第２の端部で駆動機構に接続される、複数の伸長形状記憶合金（ＳＭＡ）要素または負熱膨張（ＮＴＥ）要素を備える、エンジンを備え、形状記憶合金（ＳＭＡ）要素または負熱膨張（ＮＴＥ）要素は、隣接する要素の間に間隙を形成するように位置付けられ、流体から各要素への熱伝達を向上させるように構成される、エネルギー回収デバイス。
【請求項２】
スペーサ要素は、前記要素を相互から離れるように押勢して、前記間隙を形成するように位置付けられる、請求項１に記載のエネルギー回収デバイス。
【請求項３】
流体が前記要素の上を流動しているときに、前記要素の熱伝達表面積を最大限にするように構成される、ブラケットシステムを備える、請求項１または２に記載のエネルギー回収デバイス。
【請求項４】
少なくとも１つのＮＴＥまたはＳＭＡ要素の直径は、前記流体と要素との間の熱伝達を最適化するように、いずれか一方もしくは両方の端部に対して縮小される、いずれかの前記請求項に記載のエネルギー回収デバイス。
【請求項５】
Ｕ字形セパレータを備える、いずれかの前記請求項に記載のエネルギー回収デバイス。
【請求項６】
前記ＮＴＥまたはＳＭＡ要素の端部のうちの少なくとも１つもしくはそれを上回るものは、各中心に向かって間隙を維持するように樹脂またはプラスチックでコーティングされる、いずれかの前記請求項に記載のエネルギー回収デバイス。
【請求項７】
一方の端部で前記要素を摩擦係止するように適合される、円錐の形状の先細ロック機構を備える、いずれかの前記請求項に記載のエネルギー回収デバイス。
【請求項８】
前記間隙は、動作中に前記エンジンの中心を通した流体流を可能にするように定寸される、中空エンジンコアを備える、いずれかの前記請求項に記載のエネルギー回収デバイス。
【請求項９】
ワイヤが隣接して配列され、相互と摩擦または干渉接触し、流体が前記ワイヤを通り越させられるときに、熱伝達表面を増大させるために、前記ワイヤが相互から外れた状態で保たれるように位置付けられるように、一方の端部で固定され、第２の端部で自由に動くことができる、形状記憶合金（ＳＭＡ）または他の負熱膨張（ＮＴＥ）材料から成る、ワイヤ要素のグループを備える、エネルギー回収デバイスで使用するためのコア。
【請求項１０】
スペーサ要素は、前記要素を相互から離れるように押勢して、隣接する要素の間に間隙を形成するように位置付けられる、請求項９に記載のコア。
【請求項１１】
流体が前記要素の上を流動しているときに、前記要素の熱伝達表面積を最大限にするように構成される、ブラケットシステムを備える、請求項９または１０に記載のコア。
【請求項１２】
少なくとも１つのＮＴＥまたはＳＭＡ要素の直径は、前記流体と要素との間の熱伝達を最適化するように、いずれか一方もしくは両方の端部に対して縮小される、請求項９〜１１のいずれかに記載のコア。
【請求項１３】
Ｕ字形セパレータを備える、請求項９〜１２のいずれかに記載のコア。
【請求項１４】
前記ＮＴＥまたはＳＭＡ要素の端部のうちの少なくとも１つもしくはそれを上回るものは、各中心に向かって間隙を維持するように樹脂またはプラスチックでコーティングされる、請求項９〜１３のいずれかに記載のコア。
【請求項１５】
前記コアは、動作中に前記エンジンの中心を通した流体流を可能にするように定寸される、請求項９〜１４のいずれかに記載のコア。
【発明の詳細な説明】
【技術分野】
【０００１】
本願は、エネルギー回収の分野に関し、特に、同目的での形状記憶合金（ＳＭＡ）または負熱膨張（ＮＴＥ）材料の使用に関する。
【背景技術】
【０００２】
典型的には１００度を下回ると考えられる低位熱は、工業的プロセス、発電、および輸送用途における重要な廃エネルギー流を代表する。そのような廃流の回収および再利用が、望ましい。この目的のために提案された技術の例は、熱電発電機（ＴＥＧ）である。残念なことに、ＴＥＧは、比較的高価である。そのようなエネルギーを回収するため提案されている、別の大部分が実験的なアプローチは、形状記憶合金の使用である。
【０００３】
形状記憶合金（ＳＭＡ）は、元の低温鍛造形状を「記憶」する合金であって、いったん変形させられると、加熱に応じて、事前変形形状に戻る。本材料は、液圧、空気圧、およびモータベースのシステム等、従来のアクチュエータに対する軽量で固体の代替物である。
【０００４】
作動媒体として形状記憶合金（ＳＭＡ）または別の負熱膨張（ＮＴＥ）材料を利用する、熱エンジンの概念が、開発中である。例えば、ＰＣＴ特許公開第ＷＯ２０１３／０８７４９０号で開示され、本発明の出願人に譲渡されたようなエンジンでは、熱源への暴露時のそのような材料の強制的な収縮が、捕捉され、使用可能な機械仕事に変換される。
【０００５】
これまで、そのような全装備質量のための有用な材料は、ニッケルチタン合金（ＮｉＴｉ）であることが分かっている。本合金は、周知の形状記憶合金であり、異なる業界にわたって多数の用途を有する。
【０００６】
例えば、複数のＮｉＴｉワイヤが、エンジンの作業要素を形成する。力が、ピストンおよびクランク機構を介して、作業コア内の高温および低温流体の適用による、これらの要素の収縮ならびに膨張を通して生成される。解決されるべき問題は、エンジンが可能な限り効率的に稼働することを確実にするために、流体から作業コア内の各ワイヤ要素への熱伝達を向上させることが望ましいことである。
【０００７】
したがって、上記の問題を克服するデバイスおよび方法を提供することが、本発明の目的である。
【先行技術文献】
【特許文献】
【０００８】
【特許文献１】国際公開第２０１３／０８７４９０号
【発明の概要】
【課題を解決するための手段】
【０００９】
本発明によると、添付の請求項で立案されるように、ホルダ要素によって第１の端部で固定され、第２の端部で駆動機構に接続される、複数の伸長形状記憶合金（ＳＭＡ）要素または負熱膨張（ＮＴＥ）要素を備える、エンジンを備え、形状記憶合金（ＳＭＡ）要素または負熱膨張（ＮＴＥ）要素は、隣接する要素の間に間隙を形成するように位置付けられ、流体から各要素への熱伝達を向上させるように構成される、エネルギー回収デバイスが提供される。
【００１０】
形状記憶合金（ＳＭＡ）または他の負熱膨張（ＮＴＥ）材料は、ワイヤが隣接して配列され、相互と、または間隔要素と摩擦もしくは干渉接触し、流体／ワイヤシステムの熱伝達性能を増進する目的で、ワイヤが相互からわずかに外れた状態で保たれるように位置付けられるように、一方の端部で固定され、第２の端部で自由に動くことができる。グループ化された要素（ワイヤおよびスペーサ）は、好適なブラケットを利用して、ワイヤの外周で総体として固着される。そのような配列では、熱エンジンシステム内のバンドル配列の動作中に、プレート要素が、ワイヤグループの総力発生を伝達し、したがって、電力を有用に回復して伝送するように作用する。
【００１１】
一実施形態では、スペーサ要素は、要素を相互から離れるように押勢して、該間隙を形成するように位置付けられる。
【００１２】
一実施形態では、流体が要素の上を流動しているときに、要素の熱伝達表面積を最大限にするように構成される、ブラケットシステムが提供される。
【００１３】
一実施形態では、少なくとも１つのＮＴＥまたはＳＭＡ要素の直径は、流体と要素との間の熱伝達を最適化するように、いずれか一方もしくは両方の端部に対して縮小される。
【００１４】
一実施形態では、Ｕ字形セパレータが提供される。
【００１５】
一実施形態では、ＮＴＥまたはＳＭＡ要素の端部のうちの少なくとも１つもしくはそれを上回るものは、各中心に向かって間隙を維持するように樹脂またはプラスチックでコーティングされる。
【００１６】
一実施形態では、一方の端部で要素を摩擦係止するように適合される、円錐の形状の先細ロック機構が提供される。
【００１７】
別の実施形態では、ワイヤが隣接して配列され、相互と摩擦または干渉接触し、流体が該ワイヤを通り越させられるときに、熱伝達表面を増大させるために、ワイヤが相互から外れた状態で保たれるように位置付けられるように、一方の端部で固定され、第２の端部で自由に動くことができる、形状記憶合金（ＳＭＡ）または他の負熱膨張（ＮＴＥ）材料から成る、ワイヤ要素のグループを備える、エネルギー回収デバイスで使用するためのコアが提供される。
【００１８】
一実施形態では、スペーサ要素は、要素を相互から離れるように押勢して、隣接する要素の間に間隙を形成するように位置付けられる。
【００１９】
一実施形態では、ブラケットシステムは、流体が要素の上を流動しているときに、要素の熱伝達表面積を最大限にするように構成される。
【００２０】
一実施形態では、少なくとも１つのＮＴＥまたはＳＭＡ要素の直径は、流体と要素との間の熱伝達を最適化するように、いずれか一方もしくは両方の端部に対して縮小される。
【００２１】
一実施形態では、コアは、Ｕ字形セパレータを備える。
【００２２】
一実施形態では、ＮＴＥまたはＳＭＡ要素の端部のうちの少なくとも１つもしくはそれを上回るものは、各中心に向かって間隙を維持するように樹脂またはプラスチックでコーティングされる。
【００２３】
一実施形態では、コアは、動作中にエンジンの中心を通した流体流を可能にするように定寸される。
【図面の簡単な説明】
【００２４】
本発明は、付随の図面を参照して、一例としてのみ与えられる実施形態の以下の説明から、より明確に理解されるであろう。
【図１】図１は、ＳＭＡまたはＮＴＥ材料を使用する、従来技術のエネルギー回収システムを図示する。
【図２】図２は、複数のＳＭＡまたはＮＴＥ要素とともに動作しているコアの実施形態を図示する。
【図３】図３は、バンドルホルダの概略図を図示する。
【図４】図４は、ＳＭＡワイヤを固定するために楔着技法を使用する、バンドルホルダの概略図を図示する。
【図５】図５は、楔着されたワイヤの間の流体循環のスナップショットを図示する。
【図６】図６は、ＳＭＡの列の間の流路を図示する。
【図７】図７は、摩擦嵌合バンドルホルダ概念、すなわち、（ａ）閉塞ブラケット、（ｂ）ワイヤ捻転効果、（ｃ）鋏の握持効果を示すワイヤ捻転効果詳細を図示する。
【図８】図８は、一実施形態による、調節可能な閉塞ブラケットシステムを図示する。
【図９】図９は、一実施形態による、閉塞ブラケットシステムを図示する。
【図１０】図１０は、一実施形態による、太くなった端部と、ドームとを備える、ＳＭＡまたはＮＴＥワイヤを図示する。
【図１１】図１１は、熱伝達を向上させるためのワイヤの両端における追加の太くなった端部の追加を図示する。
【図１２】図１２は、複数の端子を使用する実施形態を図示する。
【図１３】図１３は、複数のＳＭＡまたはＮＴＥ要素を有する、コアで使用するためのＵ字形セパレータを図示する。
【図１４】図１４は、プラスチックもしくは樹脂材料でコーティングされた複数のＳＭＡまたはＮＴＥ要素を図示する。
【図１５】図１５は、クランプが、最適な数のＳＭＡワイヤの周囲に配置され、ワイヤが摩擦ロックでともに固定されるまで、ねじを使用して緊締され得る方法を図示する。
【図１６】図１６は、ワイヤの間に大きな摩擦力を生成するために使用されることができる、上から下向きに押された、先細圧入ユニットを図示する。
【図１７】図１７は、先細ねじ式ロックもしくは圧入ロックから成る、より小型のサブユニット、または標準配管圧縮継手が、単一の鋳造バンドルホルダ上に配置され得ることを図示する。
【図１８】図１８は、層の間にＳＭＡワイヤを伴う先細円錐から成る、多層ユニットを図示する。
【図１９】図１９は、スエージ加工された摩擦嵌合実施形態を図示する。
【図２０】図２０は、摩擦嵌合実施形態を図示する。
【図２１】図２１は、図１９および２０に類似する、多重ワイヤ列摩擦嵌合実施形態を図示する。
【図２２】図２２−２４は、流体が使用中のコアを通って流動することを可能にする中空コアを示す、代替実施形態を図示する。
【図２３】図２２−２４は、流体が使用中のコアを通って流動することを可能にする中空コアを示す、代替実施形態を図示する。
【図２４】図２２−２４は、流体が使用中のコアを通って流動することを可能にする中空コアを示す、代替実施形態を図示する。
【発明を実施するための形態】
【００２５】
本発明は、低位熱から発電するために形状記憶合金（ＳＭＡ）または負熱膨張材料（ＮＴＥ）のいずれか一方を使用することができる、開発中の熱回収システムに関する。
【００２６】
ここで、参照番号１によって示されるＳＭＡエンジンを採用する、エネルギー回収デバイスを提供する、図１を参照して、エネルギー回収デバイスの例示的な公知の実施形態を説明する。ＳＭＡエンジン１は、ＳＭＡ作動コアを備える。ＳＭＡ作動コアは、固定される第１の点で圧着または別様に固着されたＳＭＡ材料から成る。反対端で、ＳＭＡ材料は、駆動機構２に圧着または別様に固着される。したがって、第１の点が係留される一方で、第２の点は、駆動機構３を引動するが、自由に動くことができる。浸漬チャンバ４は、ＳＭＡエンジンを収納するために適合され、ＳＭＡエンジンの加熱および／または冷却を可能にするために、流体で連続的に充填されるように適合される。したがって、熱がＳＭＡコアに印加されると、それは、自由に収縮することができる。好適に、ＳＭＡコアは、ＳＭＡ材料の複数の平行ワイヤ、リボン、またはシートを含む。典型的には、約４％の偏向が、そのようなコアにとって一般的である。したがって、１ｍの長さのＳＭＡ材料が採用されるとき、約４ｃｍの直線運動が利用可能になることを予期し得る。より高い変位も、得られることができる。提供される力は、使用されるワイヤの質量に依存することが理解されるであろう。そのようなエネルギー回収デバイスは、本発明の出願人に譲渡されたＰＣＴ特許公開第ＷＯ２０１３／０８７４９０号で説明され、参照することによって本明細書に完全に組み込まれる。
【００２７】
そのような用途に関して、熱源への暴露時のそのような材料の収縮が、捕捉され、使用可能な機械仕事に変換される。そのようなエンジンの作業要素のための有用な材料は、ニッケルチタン合金（ＮｉＴｉ）であることが証明されている。ＳＭＡ作動コアは、固定される第１の点で圧着または別様に固着された複数のＳＭＡ材料から成る。
【００２８】
エンジン内でＮｉＴｉワイヤを固着するために、高い負荷の下で動作することを可能にするであろうような様式で、両端で各ワイヤを係留することができる、システムを開発することが要求される。本システムは、「バンドルホルダ」と指定されている。バンドルホルダは、２つの具体的問題を克服するはずである。
【００２９】
１）動作中に、ＮｉＴｉワイヤの高い力の低変位負荷を伝達する。これは、バンドルの一方の端部が、固着され、静止したままとなる一方で、反対端は、ピストンの移動および仕事の抑制を可能にするように１つの変位軸において自由に移動することができる、単一自由度（ＤＯＦ）システムである。
【００３０】
２）通過する水からワイヤへ、および逆も同様に、最大熱伝達を可能にするように、可能である限り、ワイヤの密接充填を可能にする。
【００３１】
３）製造の観点から、ある種の支持体の中に何百本ものこれらのＮｉＴｉワイヤを配置するという面倒で負担のかかるプロセスを排除し、生産時間および費用を削減する必要がある。
【００３２】
そのようなコアは、Ｅｘｅｒｇｙｎに譲渡された英国特許出願第１４０９６７９．６号で説明され、参照することによって本明細書に完全に組み込まれる。この出願では、第１の端部で固定され、第２の端部で駆動機構に接続された複数の形状記憶合金（ＳＭＡ）または負熱膨張（ＮＴＥ）要素を備える、エネルギー回収デバイスで使用するためのコアエンジンが説明されている。ホルダは、複数の形状記憶合金（ＳＭＡ）またはＮＴＥ要素、例えば、ニッケルチタンワイヤを受容するように適合される複数のスロットを伴って構成される、ホルダである。ＳＭＡワイヤは、実質的に伸長であり、チャンバの中に収納されるコアを構成するように平行配向で配列される。
【００３３】
図２は、エネルギー回収デバイスで使用中である、平行に配列された複数のＳＭＡまたはＮＴＥワイヤ１とともに動作しているコアの実施形態を図示する。コアは、チャンバの中に収納され、弁１０およびマニホールド１１を介して流体源に接続される。ＳＭＡワイヤは、底部および上部バンドルホルダ１２ならびに１３によって両端で固着される。コアの一方の端部は、エネルギーを生成するように、ＳＭＡワイヤの膨張および収縮に応答して移動可能であるピストン１４と連通している。説明されるような本発明は、エンジンが可能な限り効率的に稼働することを確実にするために、流体から作業コア内の各ワイヤ要素への熱伝達を向上させる。
（第１の実施形態）
【００３４】
一実施形態では、流体への等しい暴露を保証しながら、よりコンパクトな配列を可能にする、直線にあるＳＭＡワイヤ１の配列が提供される。
【００３５】
図３に示されるように、上部ユニットは、定位置に押し込まれ、ＳＭＡワイヤ１を摩擦ロックの中へ圧縮する。圧縮ねじ２０が、それらの係止状態であるときに、ユニットを保持するために採用される。上および中間層は、形状が円錐アプローチよりも基本的であり、耐荷重性ではない際に、成型または鋳造される。底部ユニットは、屈曲防止バンドル支持体の役割を果たし、高張力材料から鋳造されなければならない。
【００３６】
図４は、分割要素、すなわち、固定楔着部が、異なる形状である、図３に類似する実施形態である。本実施形態は、個別にワイヤをスエージ加工する問題を解決する。ワイヤ要素１は、ワイヤ要素１を定位置に固定するように、上部および底部キャップ３３、３４の間で締め付けねじ３１ならびにナット３２を使用して保持される。２列のワイヤを結合することが、熱伝達を遅延させ得る、またはそれを不平等にし得るため、２列のワイヤが触れることを阻止するために、固定楔着部３５は、より長く作製されることができ、このようにして、列を分割する、すなわち、図５および６に示されるように、熱伝達を増進し、コア内の攪拌器の役割を果たすであろう。図５は、楔着されたワイヤの間の流体循環のスナップショットを図示する。図６は、ＳＭＡワイヤ要素の列の間の流路を図示する。
（第２の実施形態）
【００３７】
以前に説明された摩擦嵌合バンドルホルダは、ともに近すぎるアクティブワイヤ要素を生じさせ、したがって、効果的な流体相互作用への制限を生成し、その結果として、非効果的な熱伝達を生じる。ワイヤを分離する手段が、必要とされる。
【００３８】
図７は、いくつかの摩擦嵌合バンドルホルダ概念を図示し、図７ａは、閉塞ブラケットを示し、図７ｂは、ワイヤ捻転効果を図示し、図７ｃは、鋏の握持効果を示すワイヤ捻転効果をより詳細に図示する。
【００３９】
図７ａは、曲率半径が、位置付けられた支柱または他の部材４２の使用を通して、バンドルホルダブラケット４１の下方のバンドル内のワイヤ１に導入されることを図示する。ワイヤおよびバンドルホルダは、外向きの圧力がブラケット４１とのワイヤ１の境界において生成されることを可能にするような方法で配列される。本圧力は、定位置への支柱要素４２の楔着によって生成される、結果として生じる力によって生成される。本圧力は、以前に説明されたような基本的摩擦嵌合の使用を通して及ぼされる圧力に加えられる。
【００４０】
ワイヤおよび支柱４２は、束ねられたワイヤ４３上に、結果として生じる力Ｒを提供するような方法で配列され、すなわち、支柱は、図７で表される方向に作用する合力システムがあるように、バンドルの中へ圧縮または別様に押進させられる。さらなる利点も、生成される。このようにしてワイヤを楔着することによって、大部分がワイヤ要素の剛性により引き起こされる、バンドルの中のワイヤの適度な捻転が生成される（すなわち、より大きい直径のワイヤではより顕著である）。本捻転は、バンドルホルダブラケット４１の上および底縁の両方において力を及ぼすことに起因して、より強い握持が及ぼされることを可能にする、あるタイプの関節運動共同効果４４（すなわち、「鋏」共同効果）を生じさせる。これは、図７ｂおよび図７ｃで見られることができる。
【００４１】
この場合、バンドルホルダは、浮動性であり、コア壁に固着されないままにされる。代わりに、コアは、支柱を使用して添着される。バンドルの浮動性は、ワイヤ動作の張力段階中に、反対端におけるピストンを引動しているときに、束ねられたワイヤが支柱に向かってバンドルホルダを引動する傾向を有し、本質的に、ワイヤバンドルと支柱との間に自己強化型の「楔着」摩擦結合を生成することを意味する。そうする際に、ワイヤ要素の加熱を通して引き起こされるワイヤバンドルの体積低減は、支柱、ワイヤ、およびバンドルホルダの相互作用によって成立される握持運動を通して、効果的に対抗される。
（第３の実施形態）
【００４２】
ワイヤを摩擦嵌合バンドルホルダ内で複数のグループに分離する手段が、必要とされる。
【００４３】
図８は、一実施形態による、調節可能な複数の閉塞ブラケットシステムを図示する。この場合、複数の支柱５１が、前の実施形態で提示されたものと同様に使用される。しかしながら、この場合、ワイヤとバンドルホルダとの間により強力な摩擦結合を生成することに加えて、付加的な支柱は、バンドルの上を流動する通過流体に暴露される熱伝達表面積の最大化を可能にするような様式で、ワイヤの間隔を可能にする。
【００４４】
図９は、支柱がコアに組み入れられ得る方法を図示する。コア壁６１は、それを通して支柱要素６２がコア６１に入れられ得る、孔または開口部を有する。コア壁を通して支柱６２を挿入することによって、最初にバンドルホルダがコアに挿入されることが可能である。これは、組立管理の観点から利点を有する。バンドルホルダが浮動性であるため、支柱６２は、その後に難なく追加されることができる。
（第４の実施形態）
【００４５】
一実施形態では、ＳＭＡまたはＮＴＥワイヤ１は、図１０に図示されるように、太くなった端部７１と、ドーム７２とを備えることができる。太くなった端部が、中心を維持して、ＳＭＡワイヤの間の間隙を中心に置くように作用する一方で、ドームは、ワイヤが先細開口部または孔７３および分割コレット７４配列の中へ緊密に配置されるときに、ワイヤ貫通を制限するように作用する。
【００４６】
力がバンドルの中のワイヤに印加されるとき、分割コレットおよび先細部は、太くなった端部をともに圧縮する。太くなった端部の直径は、最適な中心を確実にして、ワイヤの間の距離を中心に置くように選択される。
【００４７】
流体流と相互作用するワイヤの長さが、より小さい直径に延伸または圧延され、したがって、ワイヤの間の間隙が、流体流を促進するように導入される。縮小された直径は、流体とＳＭＡワイヤとの間の最適な熱伝達を可能にするように最適化されることができる。
【００４８】
図１１は、最善の熱伝達レジームが満たされることを確実にするためのワイヤの両端における追加の太くなった端部７５の追加を図示する。第２の太くなった端部７６により良好に適応するために、コレットの設計は、コレットの下側に追加の太くなった端部を追加することによって変更されることができ、熱伝達は、最適になり、流路は、分割コレットを圧入において先細マウントプレートの中で固定した後に、定位置で保たれるであろう。
（第５の実施形態）
【００４９】
一実施形態では、スエージのない端子が提供される。これは、バンドル内のワイヤのホルダとして端子を使用する。
【００５０】
図１２は、これらの端子のうちの複数を使用することを概説する。これの背後にある論拠は、１つの端子が、軸方向張力に起因して、大きい反力を生成し得る場合には、１つより多くが、より大きい反力を生成し得ることであり、効率が増加させられ得ることを意味する。
（第６の実施形態）
【００５１】
本実施形態によって解決されることを目的とした問題は、各ワイヤが、各コアを通過させられている流体によって十分に加熱および冷却されることを可能にするように、圧縮型バンドルホルダの中のワイヤをどのように分離するかということである。
【００５２】
図１３に示される「Ｕ」字形ＳＭＡセパレータ８０は、バンドルの中に間隙を作製し、流体がそれを通過し、ワイヤをより効果的に加熱および冷却することを可能にする。これは、上記で説明されるドームスエージ８１を用いて、ワイヤの他の部分と同様に定位置で保持される。
【００５３】
Ｕ字形ワイヤ８０はまた、加熱されたときに収縮し、ひいては、バンドルホルダ８２の上部に向かってＵ字の底部を引動し、バンドルホルダに対してワイヤにより多くの力を誘発し、いかなる滑動も防止するように、本Ｕ字形態で形状固化され得る。
（第７の実施形態）
【００５４】
本概念によって解決されることを目的とした問題は、各ワイヤが、各コアを通過させられている流体によって十分に加熱および冷却されることを可能にするように、圧縮型バンドルホルダの中のワイヤをどのように分離するかということである。
【００５５】
一実施形態では、ＳＭＡまたはＮＴＥワイヤ１は、図１４に示されるように、プラスチックもしくは樹脂９０に入れられる。本プラスチックまたは樹脂９０の薄いコーティングは、間隙９１がワイヤ１の間でそれらの全長の下方にとどまるように、本コーティングが、ワイヤ１の上部および底部のみに適用されるため、ＳＭＡワイヤの表面に付着する。図１４は、プラスチックもしくは樹脂材料でコーティングされた複数のＳＭＡまたはＮＴＥ要素を図示する。
（第８の実施形態）
【００５６】
従来の孔およびスエージ技法を使用する、ワイヤの大型バンドルで生じる問題は、大量生産の観点から理想的ではない、複数の孔を穿孔することに関与する費用および時間、ならびにバンドルホルダの中で各ワイヤを原位置にスエージ加工して組み立てるために必要とされる時間である。
【００５７】
図１５は、クランプ１００が、最適な数のＳＭＡワイヤ１の周囲に配置され、ワイヤが摩擦ロックでともに固定されるまで、ねじ緊締装置１０１を使用して緊締され得る方法を図示する。次いで、いくつかのスロットから成るワイヤセパレータ１０２が、流体がワイヤ１を通り越す際に最大熱伝達を可能にするようにワイヤ１を分離するために、クランプ１００の下に配置され、上向きに摺動させられる。本アプローチは、複数の開口部およびスエージの必要性を排除し、バンドルのはるかに急速な組立を可能にする。さらに、負荷が上部クランプ１００によって取り除かれるため、ワイヤセパレータ１０２は、製造時間を短縮して鋳造または成型されることができる。
（第９の実施形態）
【００５８】
最適な数のワイヤの周囲でクランプを使用する場合、ねじ緊締装置を使用して、十分に大きい圧縮荷重を達成することが可能ではない場合がある。これは、より小型の最大バンドルサイズ、さもないと、より大型のねじをもたらし、両方とも望ましくない。さらに、クランプの側面から突出するねじ嵌合は、設計がピストンの中に配置するために好適ではないことを意味する。
【００５９】
図１６は、上から下向きに押された先細圧入ユニット１１０が、ワイヤ１の間に大きな摩擦力を生成するために使用され得ることを図示する。固定壁１１１が、負荷が印加されるにつれて反力を吸収するために必要である。本アプローチの利点は、具体的バンドルサイズのために摩擦表面積を最適化する設計で得られる柔軟性である。ワイヤセパレータは、最適化された熱伝達のためにワイヤを分割するために必要であり得る。複数のインライン圧入クランプが、ＳＭＡワイヤの列または円を促進するために使用されることができる。固定壁の外部は、必要とされた場合、ピストンの中への挿入を促進するようにねじ山付きであり得る。
（第１０の実施形態）
【００６０】
圧入の結果としての最大バンドルサイズが、特定のコアのための必要ワイヤ数量を下回るバンドルサイズに限定される場合、単一のコアの中で多数の多重ワイヤ接続を利用する方略が必要とされる。
【００６１】
図１７は、先細ねじ式ロック１２０または圧入ロックから成る、より小型のサブユニット、もしくは標準配管圧縮継手が、各サブユニットのための個別ワイヤセパレータを備えた、単一の鋳造バンドルホルダ上に配置され得ることを図示する。各ロック１２０は、個別に押圧または係止され、次いで、スロット付きバンドルホルダ１２１の中へ摺動させられるように要求される。ワイヤセパレータの方略的使用は、流体への各ワイヤの等しい暴露を確実にするために使用されることができる。
（第１１の実施形態）
【００６２】
単一のコアの中の複数のロックの要件は、組立工具の費用および複雑性も増加させながら、組立のための時間を増加させ得る。単一の係止移動は、複数の係止ユニットを隣り合わせて搭載するために必要な面積の縮小を介して、より率直な体積低減を可能にしながら、組立効率を増加させ得る。
【００６３】
図１８は、層の間にＳＭＡワイヤ１を伴う先細円錐１３０から成る、多層ユニットを図示する。中心先細ブロック１３２が、定位置に圧入され、層をともに緊密に圧縮させ、それによって、摩擦ロックでＳＭＡワイヤを係止する。
【００６４】
本方法は、全てのＳＭＡワイヤが緊密に握持されていることを確実にするように、中心先細ブロック１３２が高い力で圧入され得るため、有利である。次いで、ブロックは、ねじキャップを使用して定位置で固着されることができ、したがって、摩擦ロックを維持する。
（第１２の実施形態）
【００６５】
ドーム形成プロセス（ドーム７２の形状へのワイヤ端のスエージ加工）が自動化された後、ワイヤがすでにバンドルホルダの中にある間に、一方の端部をドーム形成する必要性を回避するよう、ワイヤの両端がすでにドーム形成された状態で、それらをバンドホルダの中へ配置できることが、必要とされる。
【００６６】
３つの主要部分で構成されるバンドルホルダを作成するために、上部および底部は、同一サイズであり、相互および充填材ブロックを覆って摺動することができるものとする。上部および底部は、それを通してワイヤドーム７２を嵌合するために十分に大きいスロットを有するであろう。いったん全てのドーム形ワイヤ１がスロットを通して配置されると、底部は、ワイヤの側面に衝突するまで摺動させられるであろう。次いで、上部が、金属のブロック１４０で充填されるため、ドーム７２は、２つの側面上で支持される。本金属充填材ブロック１４０は、底部によって支えられるであろう。本動作は、図１９に示されている。
【００６７】
本実施形態は、スエージ加工されたワイヤに独占的に適用可能ではなく、スエージのないワイヤ上でも使用され得、底部構成要素は、該ワイヤバンドルの適切な固着を提供するよう、ＳＭＡワイヤとホルダ壁との間に十分な摩擦力を生成することが可能であることを理解されたい。本実施形態は、可能な限り緊密なワイヤの嵌合を提供するために、充填材ブロック１４０、１４１の付加的なセットが利用される、図２０に図示されている。
【００６８】
本考慮に加えて、本発明に開示されるバンドルホルダ概念はまた、図２１に示されるような単一の列と対照的に、アセンブリの上部と底部との間で（スエージ加工されたか、またはスエージがないかのいずれか一方である）複数のワイヤ列を固着するために使用されてもよい。
（第１３の実施形態）
【００６９】
図２２−２４は、流体からワイヤ要素へ、および逆も同様に、熱伝達を増加させる別の実施形態を図示する。説明されるもの等のコアの中のワイヤの不均一な加熱は、それらの摩擦寿命を短縮する応力をワイヤ内でもたらす。
【００７０】
図２２および２３は、各コアの中のワイヤへのより均一に分配された液体流を可能にし、それによって、そのような困難を克服するようにワイヤの均一な加熱を増進する、実施形態を示す。図２２および２３は、外側の周囲に配列されたワイヤ１を有する、材料１５０の「ドーナツ形」またはリングとして構成される「中空バンドル」コアを示す。事実上、コアは、中空中心１５０を伴って複数の伸長ワイヤ要素１で作製される。「ドーナツ形」／リング１５０の中央１６０の開口部は、流体が全てのワイヤの中心を通して流動させられることを可能にし、それによって、以前に使用されたような２つの対向する側から供給されている流体と比較して、流体の分散を大いに増進する。
【００７１】
本発明はまた、いくつかのワイヤが他のワイヤの前に加熱され、ワイヤの潜在的な弱点および破壊点を引き起こす、二重対向入口の影響も克服する。
【００７２】
図２４は、コアを通る液体流を示し、そのような液体の全体的な均一分布を強調表示する。リングまたはドーナツ形１５０はまた、その周囲で定位置に配列されたワイヤを固着する機能も有する。
【００７３】
本明細書では、用語「ｃｏｍｐｒｉｓｅ、ｃｏｍｐｒｉｓｅｓ、ｃｏｍｐｒｉｓｅｄ、およびｃｏｍｐｒｉｓｉｎｇ（備える）」またはそれらの任意の変異形ならびに用語「ｉｎｃｌｕｄｅ、ｉｎｃｌｕｄｅｓ、ｉｎｃｌｕｄｅｄ、およびｉｎｃｌｕｄｉｎｇ（含む）」またはそれらの任意の変異形は、完全に互換可能であり、それらは全て、可能な限り広い解釈を与えられるべきであり、その逆も同様である。
【００７４】
本発明は、上述した実施形態に限定されないが、構造および詳細の両方において変更され得る。
【図１】
2017538068.tif 000003
【図２】
2017538068.tif 000004
【図３】
2017538068.tif 000005
【図４】
2017538068.tif 000006
【図５】
2017538068.tif 000007
【図６】
2017538068.tif 000008
【図７（ａ）】
2017538068.tif 000009
【図７（ｂ）】
2017538068.tif 000010
【図７（ｃ）】
2017538068.tif 000011
【図８】
2017538068.tif 000012
【図９】
2017538068.tif 000013
【図１０】
2017538068.tif 000014
【図１１】
2017538068.tif 000015
【図１２】
2017538068.tif 000016
【図１３】
2017538068.tif 000017
【図１４】
2017538068.tif 000018
【図１５】
2017538068.tif 000019
【図１６】
2017538068.tif 000020
【図１７】
2017538068.tif 000021
【図１８】
2017538068.tif 000022
【図１９】
2017538068.tif 000023
【図２０】
2017538068.tif 000024
【図２１】
2017538068.tif 000025
【図２２】
2017538068.tif 000026
【図２３】
2017538068.tif 000027
【図２４】
2017538068.tif 000028
【国際調査報告】
2017538068.tif 000029
2017538068.tif 000030
2017538068.tif 000031
2017538068.tif 000032
2017538068.tif 000033